(57)【要約】【課題】レーザ光源の近傍に配置される光学素子の位置、角度の精度が良く、記録再生の特性が良い光ピックアップ装置及び光ディスク装置を提供することを目的とする。【解決手段】固定ベース２ｂに配置された発光素子２ａをキャン２ｃにより覆い、レーザ光を出射するレーザ光源２と、レーザ光に対して所定の作用を及ぼすビーム整形素子４と、ビーム整形素子４をレーザ光に対して所定位置に保持しキャン２ｃの側面に伸びる爪部３ｅを有するホルダ３と、レーザ光源２を覆い固定ベース２ｂと溶着される結合ベース６と、を具備し、爪部３ｅとキャン２ｃの側面とを耐熱性の接着剤１０によって固定してホルダ３とキャン２ｃとを非接触とし、結合ベース６を固定ベース２ｂに溶着する際に生ずる熱がキャン２ｃからホルダ３に伝わるのを接着剤１０で遮断する光ピックアップ装置１とした。【選択図】図１
2008071378.tif 000002
【特許請求の範囲】
【請求項１】
固定ベースに配置された発光素子をキャンにより覆い、光ディスクに向けてレーザ光を出射するレーザ光源と、
前記出射されたレーザ光に対して所定の作用を及ぼす光学素子と、
前記キャンの上方に配置され前記光学素子を前記レーザ光に対して所定位置に保持し前記キャンの側面に伸びる爪部を有するホルダと、
前記光学素子を保持したホルダが配置されたレーザ光源を覆い前記レーザ光源の固定ベースと溶着される結合ベースと、を具備し、
前記ホルダの爪部と前記キャンの側面とを耐熱性の接着剤によって固定して前記ホルダと前記キャンとを非接触とし、前記結合ベースを前記固定ベースに溶着する際に生ずる熱が前記キャンから前記ホルダに伝わるのを前記接着剤で遮断することを特徴とする光ピックアップ装置。
【請求項２】
前記ホルダは前記光学素子を固定する本体部と前記爪部とを有し、前記本体部は前記レーザ光源から出射されたレーザ光を通過させる貫通孔を有し、前記貫通孔の周囲で前記光学素子を固定することを特徴とする請求項１記載の光ピックアップ装置。
【請求項３】
前記本体部は前記貫通孔の周囲に平板部を有し、前記平板部の端部から前記爪部が伸びていることを特徴とする請求項２記載の光ピックアップ装置。
【請求項４】
前記光学素子は、前記レーザ光源から出射されるレーザ光の光軸に直角な方向の断面形状を所定形状に補正するビーム整形素子であることを特徴とする請求項１記載の光ピックアップ装置。
【請求項５】
前記ビーム整形素子の前記レーザ光が入射する面は、凸型の円柱レンズであり、出射する面は前記円柱レンズに平行な凹型の円筒レンズであることを特徴とする請求項４記載の光ピックアップ装置。
【請求項６】
前記円柱レンズの軸は前記発光素子の厚さ方向と直交する方向であることを特徴とする請求項５記載の光ピックアップ装置。
【請求項７】
前記ホルダは、前記貫通孔の貫通方向が前記光ディスクに対してほぼ平行になるように配置され、また、前記爪部は、前記本体部が前記光ディスクに最も近接した位置よりも低い位置に設けられており、且つ前記本体部が前記光ディスクから最も遠隔した位置よりも高い位置に設けられていることを特徴とする請求項２記載の光ピックアップ装置。
【請求項８】
前記爪部は、複数箇所設けたことを特徴とする請求項１記載の光ピックアップ装置。
【請求項９】
前記光学素子は、前記レーザ光源から出射された前記レーザ光が最初に入射する素子であることを特徴とする請求項１記載の光ピックアップ装置。
【請求項１０】
前記接着剤は、ガラス転移温度が９０℃以上であることを特徴とする請求項１記載の光ピックアップ装置。
【請求項１１】
前記光学素子は、前記レーザ光源から出射されたレーザ光を回折してトラッキング制御に用いられる０次光及び±１次光に分離する回折格子を有する回折素子であることを特徴とする請求項１記載の光ピックアップ装置。
【請求項１２】
固定ベースに配置された発光素子をキャンにより覆い、光ディスクに向けてレーザ光を出射するレーザ光源と、
前記出射されたレーザ光に対して所定の作用を及ぼす光学素子と、
前記キャンの上方に配置され前記光学素子を前記レーザ光に対して所定位置に保持し前記キャンの側面に伸びる爪部を有するホルダと、
前記光学素子を保持したホルダが配置されたレーザ光源を覆い前記レーザ光源の固定ベースと溶着される結合ベースと、を具備し、
前記ホルダの爪部と前記キャンの側面とを耐熱性の接着剤によって固定して前記ホルダと前記キャンとを非接触とし、前記結合ベースを前記固定ベースに溶着する際に生ずる熱が前記キャンから前記ホルダに伝わるのを前記接着剤で遮断することを特徴とする光ディスク装置。
【発明の詳細な説明】
【技術分野】
【０００１】
本発明はパーソナルコンピュータ、ノートブック型コンピュータ等の電子機器に搭載される光ピックアップ装置及び光ディスク装置に関するものである。
【背景技術】
【０００２】
図１３は従来の光ピックアップ装置の光学系の一部を示す図である。従来、Ｂｌｕ−ｒａｙ  Ｄｉｓｃに対して記録や再生を行う光ピックアップ装置には、約４０５ｎｍの波長のレーザ光を出射するレーザ光源１０１が用いられる。レーザ光源１０１は約４０５ｎｍの波長のレーザ光を発生する発光素子１０１ａと発光素子１０１ａを固定する固定ベース１０１ｂと固定ベース１０１ｂに固定されて発光素子１０１ａを囲むキャン１０１ｃとを有する。キャン１０１ｃには窓部１０１ｄが設けられ、発光素子１０１ａが発生したレーザ光は窓部１０１ｄから光ディスク１０２に向けて出射される。
【０００３】
プリズム１０３は内部に複数の斜面１０３ａ、１０３ｂ、１０３ｃが設けられており、斜面１０３ａと斜面１０３ｂには偏光分離膜１０３ｄと偏光分離膜１０３ｅが形成されている。また、斜面１０３ｃには反射膜１０３ｆが形成されている。プリズム１０３は光ディスク１０２で反射されたレーザ光をレーザ光源１０１に戻さずに、受光器１０７に入射するように分離する。
【０００４】
ビーム整形素子１０４は光ディスク１０２に入射するレーザ光の形状を整えるレンズという光学素子である。そのためにビーム整形素子１０４は、レーザ光源１０１から出射されるレーザ光の光軸に直角な方向の断面形状を所定形状に補正する。この場合、レーザ光が入射する面は凸型の円柱レンズ、出射する面は円柱レンズに平行な凹型の円筒レンズとしている。
【０００５】
コリメートレンズ１０５は発散光であるレーザ光源１０１から出射されたレーザ光を平行光に変換する。また、光ディスク１０２で反射され、対物レンズ１０６で平行光にされたレーザ光を集束光に変換する。
【０００６】
対物レンズ１０６はレーザ光源１０１で出射されたレーザ光を光ディスク１０２の記録面に集光させ、光ディスク１０２で反射されたレーザ光を平行光に変換する。
【０００７】
受光器１０７は光ディスク１０２で反射され、プリズム１０３で分離された光を受光して、光量に応じた電気信号に変換する。
【０００８】
レーザ光源１０１から出射されたレーザ光はプリズム１０３に入射し、斜面１０３ａの偏光分離膜１０３ｄ、斜面１０３ｂの偏光分離膜１０３ｅで反射されて、ビーム整形素子１０４に入射する。ビーム整形素子１０４でレーザ光の形状が整えられてコリメートレンズ１０５に入射する。コリメートレンズ１０５で発散光から平行光に変換されて対物レンズ１０６に入射し、対物レンズ１０６で光ディスク１０２で集束する集束光に変換される。
【０００９】
光ディスク１０２で反射されたレーザ光は、対物レンズ１０６で平行光に変換され、コリメートレンズ１０５で集束光に変換される。ビーム整形素子１０４にてレーザ光の形状が整えられてプリズム１０３に入射する。レーザ光は、斜面１０３ｂの偏光分離膜１０３ｅを透過することで、往路のレーザ光と分離される。斜面１０３ｂを透過したレーザ光は、斜面１０３ｃの反射膜１０３ｆで反射され、斜面１０３ｂ、１０３ａを透過し、受光器１０７に入射し、電気信号に変換される。
【００１０】
図１４は図１３の光ピックアップ装置の構成の一部を示す図である。レーザ光源１０１は紙面下側から結合ベース１０８に固定される。その際、レーザ光源１０１の固定ベース１０１ｂが結合ベース１０８と溶着で固定される。プリズム１０３は紙面上方から結合ベース１０８に固定される。受光器１０７は紙面右方から結合ベース１０８に固定される。レーザ光源１０１、プリズム１０３、受光器１０７は結合ベース１０８を介して一体に組み立てられる。結合ベース１０８に固定されたレーザ光源１０１は紙面上側からプレート１０９を介して基台１１０に固定される。基台１１０は光ピックアップ装置の骨組みであり、基台１１０に各種部品が直接または他の部品を介して取り付けられて光ピックアップ装置として組み立てられる。ビーム整形素子１０４は基台１１０に固定される。
【００１１】
このようなＢｌｕ−ｒａｙ  Ｄｉｓｃに対して記録や再生を行う光ピックアップ装置は（特許文献１）、（特許文献２）に詳細に記述されている。
【特許文献１】特開２００６−１２０２８３号公報
【特許文献２】特開２００６−１２０２８４号公報
【発明の開示】
【発明が解決しようとする課題】
【００１２】
ビーム整形素子が配置される位置は、プリズムとコリメートレンズとの間であり、レーザ光源から出射されて広がった状態のレーザ光が入射する。そのため、広がってしまったレーザ光を取り込むためにはビーム整形素子は大きくなってしまう。したがって、ビーム整形素子の配置は、レーザ光源から出射される発散光であるレーザ光が広がってしまう前のレーザ光源に近い位置ほど良い。そこで、ビーム整形素子をプリズムとレーザ光源との間の位置の結合ベースに固定しようとした。しかし、ビーム整形素子を固定した後に結合ベースを溶着する必要があり、溶着の際に発生する熱がビーム整形素子の固定部分にまで伝わって温度が上昇する。ビーム整形素子を固定するには、ビーム整形素子にかかる応力を小さくするために、軟らかい接着剤を使用する必要がある。軟らかい接着剤は一般に高温になるとさらに軟らかくなるため、調整したビーム整形素子の位置、角度がずれてしまうという問題が発生した。そのため、光ディスクに対する記録や再生の特性が良好な領域からずれてしまうことがあった。
【００１３】
本発明は、従来の上記課題を解決するもので、レーザ光源の近傍に配置される光学素子の位置、角度の精度が良く、光ディスクに対する記録や再生の特性が良い光ピックアップ装置及び光ディスク装置を提供することを目的とする。
【課題を解決するための手段】
【００１４】
上記目的を達成するために本発明は、固定ベースに配置された発光素子をキャンにより覆い、光ディスクに向けてレーザ光を出射するレーザ光源と、前記出射されたレーザ光に対して所定の作用を及ぼす光学素子と、前記キャンの上方に配置され前記光学素子を前記レーザ光に対して所定位置に保持し前記キャンの側面に伸びる爪部を有するホルダと、前記光学素子を保持したホルダが配置されたレーザ光源を覆い前記レーザ光源の固定ベースと溶着される結合ベースと、を具備し、前記ホルダの爪部と前記キャンの側面とを耐熱性の接着剤によって固定して前記ホルダと前記キャンとを非接触とし、前記結合ベースを前記固定ベースに溶着する際に生ずる熱が前記キャンから前記ホルダに伝わるのを前記接着剤で遮断することを特徴とする光ピックアップ装置とした。
【００１５】
ホルダは耐熱性の接着剤のみを介してキャンに固定される。結合ベースと固定ベースとの溶着の際に発生する熱は接着剤によって遮断される。そのため、光学素子がホルダと固定される部分の温度が上がりにくい。よって、溶着後においても、光学素子とホルダとの間の位置、角度は組み立て完了時の位置、角度からほとんどずれない。また、ホルダをキャンに固定する接着剤は耐熱性があるため、溶着によってキャンの温度が上がってもホルダとキャンとの間の位置、角度は組み立て完了時の位置、角度からほとんどずれない。したがって、溶着によって、光学素子とレーザ光源との間の位置、角度は組み立て完了時の位置、角度からほとんどずれない。
【発明の効果】
【００１６】
本発明の光ピックアップ装置及び光ディスク装置は、結合ベースとレーザ光源とが溶着されても、近接して配置される光学素子とレーザ光源との間の位置、角度が組み立て完了時の位置、角度からほとんどずれないため、光ディスクに対する記録や再生の特性が良い。
【発明を実施するための最良の形態】
【００１７】
本発明の請求項１の発明は、固定ベースに配置された発光素子をキャンにより覆い、光ディスクに向けてレーザ光を出射するレーザ光源と、出射されたレーザ光に対して所定の作用を及ぼす光学素子と、キャンの上方に配置され光学素子をレーザ光に対して所定位置に保持しキャンの側面に伸びる爪部を有するホルダと、光学素子を保持したホルダが配置されたレーザ光源を覆いレーザ光源の固定ベースと溶着される結合ベースと、を具備し、ホルダの爪部とキャンの側面とを耐熱性の接着剤によって固定してホルダとキャンとを非接触とし、結合ベースを固定ベースに溶着する際に生ずる熱がキャンからホルダに伝わるのを接着剤で遮断する光ピックアップ装置である。
【００１８】
ホルダは耐熱性の接着剤のみを介してキャンに固定される。結合ベースと固定ベースとの溶着の際に発生する熱は接着剤によって遮断される。そのため、光学素子がホルダと固定される部分の温度が上がりにくい。よって、溶着後においても、光学素子とホルダとの間の位置、角度は組み立て完了時の位置、角度からほとんどずれない。また、ホルダをキャンに固定する接着剤は耐熱性があるため、溶着によってキャンの温度が上がってもホルダとキャンとの間の位置、角度は組み立て完了時の位置、角度からほとんどずれない。したがって、溶着によって、光学素子とレーザ光源との間の位置、角度は組み立て完了時の位置、角度からほとんどずれない。そのため、光ディスクに対する記録や再生の特性が良い。
【００１９】
また、ホルダの光学素子を固定する部分とキャンとの間に接着剤が介在しないので、接着剤が硬化する際の体積変化による光学素子のひずみが極小である。
【００２０】
また、ホルダとキャンとが非接触であるため光学素子を搭載したホルダとレーザ光源との３軸の位置と３軸の角度の調整を行うことができる。
【００２１】
また、光学素子をレーザ光源の近傍に配置できるので、光学素子の大きさを小さくすることができる。
【００２２】
請求項２の発明は、請求項１の発明において、ホルダは光学素子を固定する本体部と爪部とを有し、本体部はレーザ光源から出射されたレーザ光を通過させる貫通孔を有し、貫通孔の周囲で光学素子を固定する光ピックアップ装置である。
【００２３】
光学素子に入射させるレーザ光は貫通孔を通して入射させることができる。また、光学素子は貫通孔の周囲に固定できるので固定した強度が強い。
【００２４】
請求項３の発明は、請求項２の発明において、本体部は貫通孔の周囲に平板部を有し、平板部の端部から爪部が伸びている光ピックアップ装置である。
【００２５】
平板部を設けることで貫通孔から爪部が直角に伸びる位置までのホルダの強度を強くすることができる。
【００２６】
請求項４の発明は、請求項１の発明において、光学素子は、レーザ光源から出射されるレーザ光の光軸に直角な方向の断面形状を所定形状に補正するビーム整形素子である光ピックアップ装置である。
【００２７】
光ディスク上のレーザ光のスポット形状を最適にすることができる。
【００２８】
請求項５の発明は、請求項４の発明において、ビーム整形素子のレーザ光が入射する面は、凸型の円柱レンズであり、出射する面は円柱レンズに平行な凹型の円筒レンズである光ピックアップ装置である。
【００２９】
レーザ光の非点収差及びレーザ光源から光ディスクに至る光路中で発生する非点収差を打ち消す。また、円柱レンズ、円筒レンズの軸方向と直角方向のレーザ光の光束の幅を狭める働きをするため、より幅広いレーザ光の光束を利用することができる。
【００３０】
請求項６の発明は、請求項５の発明において、円柱レンズの軸は発光素子の厚さ方向と直交する方向である光ピックアップ装置である。
【００３１】
発光素子が発生するレーザ光の光束は、発光素子の厚さ方向の光束の方がより幅広く広がるので、光束の幅を狭める効果がより多く得られる。
【００３２】
請求項７の発明は、請求項２の発明において、ホルダは、貫通孔の貫通方向が光ディスクに対してほぼ平行になるように配置され、また、爪部は、本体部が光ディスクに最も近接した位置よりも低い位置に設けられており、且つ本体部が光ディスクから最も遠隔した位置よりも高い位置に設けられている光ピックアップ装置である。
【００３３】
爪部を設けても光ピックアップ装置の厚さを厚くしないので、薄型の光ピックアップ装置とすることができる。
【００３４】
請求項８の発明は、請求項１の発明において、爪部は、複数箇所設けた光ピックアップ装置である。
【００３５】
複数箇所で固定することができるので、安定してホルダとキャンとを固定することができる。
【００３６】
請求項９の発明は、請求項１の発明において、光学素子は、レーザ光源から出射されたレーザ光が最初に入射する素子である光ピックアップ装置である。
【００３７】
光学素子をレーザ光源の最も近くに配置できるので、光学素子の大きさを小さくすることができる。
【００３８】
請求項１０の発明は、請求項１の発明において、接着剤は、ガラス転移温度が９０℃以上である光ピックアップ装置である。
【００３９】
ガラス転移温度が９０℃以上あるので、溶着時にキャンの温度が上がってもホルダとキャンとの位置、角度がずれにくい。
【００４０】
請求項１１の発明は、請求項１の発明において、光学素子は、レーザ光源から出射されたレーザ光を回折してトラッキング制御に用いられる０次光及び±１次光に分離する回折格子を有する回折素子である光ピックアップ装置である。
【００４１】
回折素子をレーザ光源に対して位置、角度を正確に配置することができるので光ディスクに対する記録や再生の特性が良い。
【００４２】
請求項１２の発明は、固定ベースに配置された発光素子をキャンにより覆い、光ディスクに向けてレーザ光を出射するレーザ光源と、出射されたレーザ光に対して所定の作用を及ぼす光学素子と、キャンの上方に配置され光学素子をレーザ光に対して所定位置に保持しキャンの側面に伸びる爪部を有するホルダと、光学素子を保持したホルダが配置されたレーザ光源を覆いレーザ光源の固定ベースと溶着される結合ベースと、を具備し、ホルダの爪部とキャンの側面とを耐熱性の接着剤によって固定してホルダとキャンとを非接触とし、結合ベースを固定ベースに溶着する際に生ずる熱がキャンからホルダに伝わるのを接着剤で遮断する光ディスク装置である。
【００４３】
ホルダは耐熱性の接着剤のみを介してキャンに固定される。結合ベースと固定ベースとの溶着の際に発生する熱は接着剤によって遮断される。そのため、光学素子がホルダと固定される部分の温度が上がりにくい。よって、溶着後においても、光学素子とホルダとの間の位置、角度は組み立て完了時の位置、角度からほとんどずれない。また、ホルダをキャンに固定する接着剤は耐熱性があるため、溶着によってキャンの温度が上がってもホルダとキャンとの間の位置、角度は組み立て完了時の位置、角度からほとんどずれない。したがって、溶着によって、光学素子とレーザ光源との間の位置、角度は組み立て完了時の位置、角度からほとんどずれない。そのため、光ディスクに対する記録や再生の特性が良い。
【００４４】
また、ホルダの光学素子を固定する部分とキャンとの間に接着剤が介在しないので、接着剤が硬化する際の体積変化による光学素子のひずみが極小である。
【００４５】
また、ホルダとキャンとが非接触であるため光学素子を搭載したホルダとレーザ光源との３軸の位置と３軸の角度の調整を行うことができる。
【００４６】
また、光学素子をレーザ光源の近傍に配置できるので、光学素子の大きさを小さくすることができる。
【００４７】
（実施の形態１）
本実施の形態１について図面を参照しながら説明する。図１（ａ）は本実施の形態１の光ピックアップ装置のレーザモジュール部分の構成図、図１（ｂ）は本実施の形態１のレーザモジュールの断面図である。本実施の形態１の光ピックアップ装置１はレーザモジュール１１を光ピックアップ装置１の骨組みであり装置本体に当たる基台１２に固定して構成される。
【００４８】
レーザモジュール１１は光ディスクに向けてレーザ光を出射するレーザ光源２、光学素子としてのビーム整形素子４、プリズム５、検出レンズ７、受光器８で構成される。ビーム整形素子４はホルダ３を介してレーザ光源２のキャン２ｃに固定される。ホルダ３はキャン２ｃとは非接触であり、耐熱性のある接着剤１０でキャン２ｃに固定される。ビーム整形素子４を固定したレーザ光源２は結合ベース６に固定される。結合ベース６はビーム整形素子４を保持したホルダ３が配置されたレーザ光源２を覆うように配置される。また、プリズム５は結合ベース６に固定される。検出レンズ７はレンズホルダ９を介して受光器８に固定され、レンズホルダ９は結合ベース６に固定される。
【００４９】
レーザ光源２はレーザ光を発生させる発光素子２ａが固定ベース２ｂに固定されている。さらにキャン２ｃが固定ベース２ｂに固定されるとともに、発光素子２ａを覆っている。キャン２ｃは窓部２ｄを有しており、発光素子２ａが発生したレーザ光は窓部２ｄから光ディスクに向けて出射される。
【００５０】
ホルダ３はキャン２ｃの上方に配置され、本体部３ａと爪部３ｅとを有する。本体部３ａは中央に貫通孔３ｂを有し、貫通孔３ｂの周囲にビーム整形素子４を固定する固定部３ｃを有し、さらにその外側に平板部３ｄを有する。爪部３ｅは平板部３ｄの端部から本体部３ａの面とは略直角にキャン２ｃの側面に伸びる。レーザ光源２から出射されたレーザ光は貫通孔３ｂを通る。爪部３ｅとレーザ光源２のキャン２ｃとの間に満たされた接着剤１０にてホルダ３とキャン２ｃとが固定される。その際、ホルダ３とキャン２ｃとは直接には接触しない。
【００５１】
ビーム整形素子４は、レーザ光源２から出射されたレーザ光が入射する面が凸型の円柱レンズ、出射する面が円柱レンズに平行な凹型の円筒レンズであるレンズである。ビーム整形素子４はレーザ光源２から出射されたレーザ光の光軸に直角な方向の断面形状を所定形状に補正する。ビーム整形素子４はホルダ３の固定部３ｃに固定される。
【００５２】
結合ベース６は、レーザモジュール１１の骨組みをなすものである。結合ベース６にビーム整形素子４を固定したレーザ光源２、プリズム５、検出レンズ７を固定した受光器８が固定される。結合ベース６が基台１２に固定される。本実施の形態１において、結合ベース６とレーザ光源２の固定ベース２ｂとが溶着で固定される。
【００５３】
プリズム５は内部に斜面を有し、レーザ光源２から出射されビーム整形素子４を通過したレーザ光を光ディスクに向けて出射する。また、光ディスクで反射されて戻ってきたレーザ光をレーザ光源２の方には戻さず、受光器８に向けて出射する。検出レンズ７は光ディスクで反射されプリズム５で往きのレーザ光から分離されたレーザ光にフォーカス制御ができるように非点収差を与えるレンズである。受光器８は光ディスクで反射されたレーザ光を受光し、フォーカス制御用の信号やトラッキング制御用の信号、及び光ディスクに記録されていた情報の信号等を出力する。
【００５４】
接着剤１０は、ホルダ３をレーザ光源２に固定するための接着剤である。接着剤１０は、協立化学工業株式会社製ワールドロック８７９３Ｓやソニーケミカル株式会社製ＳＡ１３６０等の紫外線硬化型接着剤等であり、結合ベース６とレーザ光源２との溶着の際にレーザ光源２とホルダ３との位置、角度がずれないように耐熱性が要求される。そのため、接着剤１０のガラス転移温度は９０℃以上が好ましい。ガラス転移温度は前者が９５℃、後者が１２１℃であり、十分な値である。また、通常、紫外線硬化型接着剤等の接着剤は熱伝導率が小さく、熱を遮断する効果がある。
【００５５】
本実施の形態１において、レーザモジュール１１は以下の順序で組み立てられる。まず、ビーム整形素子４とホルダ３とが固定される。次にレーザ光源２とホルダ３とが接着剤１０で固定される。次に結合ベース６とレーザ光源２とが溶着にて固定される。次にプリズム５が結合ベース６に固定される。また、あらかじめレンズホルダ９に検出レンズ７を固定し、さらに受光器８をレンズホルダ９に固定しておく。最後に検出レンズ７と受光器８とを固定したレンズホルダ９を結合ベース６に固定する。各部品が固定される前には、位置や角度の調整が行われる。
【００５６】
ここで、加熱して温度が上昇する工程は、結合ベース６とレーザ光源２とが溶着にて固定される工程のみである。ホルダ３は、直接にはレーザ光源２とは接触しておらず、唯一、爪部３ｅが接着剤１０を介してレーザ光源２と接触するのみである。接着剤１０は熱を遮断する効果があり、また、ホルダ３とレーザ光源２との間に介在する空気もまた断熱効果がある。したがって、結合ベース６とレーザ光源２との溶着の際に発生する熱がキャン２ｃからホルダ３に伝わるのを接着剤１０が遮断する。したがって、ホルダ３の温度は上がりにくく、ビーム整形素子４をホルダ３に固定している接着剤の温度上昇も小さい。そのため、溶着後においても、ビーム整形素子４とホルダ３との間の位置、角度は組み立て完了時の位置、角度からほとんどずれない。また、ホルダ３をキャン２ｃに固定する接着剤１０は耐熱性があるため、溶着によってキャン２ｃの温度が上がってもホルダ３とキャン２ｃとの間の位置、角度は組み立て完了時の位置、角度からほとんどずれない。したがって、溶着によって、ビーム整形素子４とレーザ光源２との間の位置、角度は組み立て完了時の位置、角度からほとんどずれない。
【００５７】
また、プリズム５、検出レンズ７、受光器８は、加熱される段階ではまだ結合ベース６には固定されていない。したがって、本実施の形態１において、レーザモジュール１１は溶着の加熱によるビーム整形素子４の固定部分の温度上昇が極小であるため、調整時の位置や角度がレーザモジュール１１の組み立て完了時でもほぼそのまま保たれる。そのため、本実施の形態１の光ピックアップ装置１は光ディスクに対する記録や再生の特性が良好である。また、光学素子であるビーム整形素子４をレーザ光源２の近傍に配置できるので、ビーム整形素子４の大きさを小さくすることができる。また、本体部３ａとキャン２ｃとの間に接着剤１０が介在しないので、接着剤１０が硬化する際の体積変化によるビーム整形素子４のひずみが極小である。また、ホルダ３とキャン２ｃとが非接触であるためビーム整形素子４を搭載したホルダ３とレーザ光源２との３軸の位置と３軸の角度の調整を行うことができる。
【００５８】
さらに本実施の形態１の詳細について説明する。
【００５９】
図２は本実施の形態１の光ピックアップ装置の光学系を示す図である。レーザ光源２、ビーム整形素子４、プリズム５、検出レンズ７、受光器８を搭載したレーザモジュール１１は前述の通り、基台１２に固定される。また、ホログラム１３、反射ミラー１４、コリメートレンズ１５、立ち上げミラー１６、１／４波長板１７、対物レンズ１８は、直接または他の部材を介して基台１２に固定される。
【００６０】
図３（ａ）は本実施の形態１のレーザ光源の斜視構成図、図３（ｂ）は本実施の形態１のレーザ光源の断面図である。レーザ光源２の発光素子２ａは半導体レーザ素子であり、Ｂｌｕ−ｒａｙ  Ｄｉｓｃ用の波長約４０５ｎｍのレーザ光を発生する。発光素子２ａは固定ベース２ｂ上に設けられたブロック２ｅにサブマウント２ｆを介して固定される。ブロック２ｅは熱伝導性が良い銅や銅合金等で構成される平板である。ブロック２ｅは固定ベース２ｂに溶接や溶着で固定される。サブマウント２ｆも金属材料で構成され、熱伝導性が良い。発光素子２ａとサブマウント２ｆ、サブマウント２ｆとブロック２ｅも溶着で固定される。発光素子２ａは表面または底面がサブマウント２ｆに固定される。すなわち、発光素子２ａの厚さ方向に順にブロック２ｅ、サブマウント２ｆ、発光素子２ａと並ぶ。
【００６１】
固定ベース２ｂは金属材料で構成されている。固定ベース２ｂの両短辺部には、レーザ光源２の位置、角度調整時に基準として用いられる凹部２ｇが設けられている。また、固定ベース２ｂには発光素子２ａに電流を流してレーザ光を発生させるためのリード２ｈが３本取り付けられている。
【００６２】
キャン２ｃは金属材料で構成され、固定ベース２ｂに溶接や溶着で固定される。キャン２ｃは発光素子２ａを覆うような形状をしており、固定ベース２ｂとで発光素子２ａをその内部の空間に収めている。キャン２ｃの固定ベース２ｂと反対側には方形状の貫通孔が設けられており、貫通孔にはカバーガラス２ｉが取り付けられ、窓部２ｄが形成されている。カバーガラス２ｉは接着等でキャン２ｃに固定されている。したがって、キャン２ｃと固定ベース２ｂとで囲まれた発光素子２ａを収めた空間は密閉されている。
【００６３】
なお、本実施の形態１において、レーザ光源２はＢｌｕ−ｒａｙ  Ｄｉｓｃ用としたが、ＤＶＤ用の波長約６５０ｎｍのレーザ光やＣＤ用の波長約７８０ｎｍのレーザ光を出射するものとしても良い。また、これらのレーザ光のうち、複数の波長のレーザ光を出射するものとしても良い。
【００６４】
また、貫通孔形状は方形状としたが、円形状、楕円形状等の他の形状でも構わない。
【００６５】
図４（ａ）は本実施の形態１のホルダの斜視構成図、図４（ｂ）は本実施の形態１のホルダの上面図、図４（ｃ）は本実施の形態１のホルダの正面図である。ホルダ３はステンレスや亜鉛ダイキャスト等の金属材料で構成される。ビーム整形素子４との固定箇所の温度上昇をさらに抑制するために、セラミック等の熱伝導率が小さい材料を用いても良い。
【００６６】
ホルダ３は前述の通り、本体部３ａと爪部３ｅとを有する。本体部３ａは中央に貫通孔３ｂを有し、貫通孔３ｂの周囲にビーム整形素子４を固定する固定部３ｃを有し、さらにその外側に平板部３ｄを有する。爪部３ｅは平板部３ｄの端部から本体部３ａの面とは略直角にキャン２ｃの側面に伸びる。
【００６７】
貫通孔３ｂの形状は円形である必要はなく、貫通孔３ｂを通過するレーザ光のビーム形状に合わせても良い。また、貫通孔３ｂに開口制限の役割を与えても良い。本実施の形態１において、貫通孔３ｂは図４（ｂ）において紙面上下に長い形状とした。この方向は光ピックアップ装置１の厚さ方向に対応する。また、この方向はビーム整形素子４の円柱レンズの軸方向に対応する。
【００６８】
貫通孔３ｂの周囲にビーム整形素子４が固定される固定部３ｃが配置される。固定部３ｃの形状は、固定されるビーム整形素子４の面形状に合わせた形状である。さらにその周囲は盛り上げられており、ビーム整形素子４がほとんど隙間なく、この盛り上げられた部分の内側に収容される。ビーム整形素子４は固定部３ｃに偏りなく固定できるので固定した強度が強い。
【００６９】
本体部３ａはビーム整形素子４が固定される固定部３ｃの周囲に平板部３ｄを有する。また本体部３ａの裏側の面は貫通孔３ｂを除いて平らである。この平らな面がレーザ光源２のキャン２ｃと対向し、この反対側の面を平らにすることにより、位置調整や角度調整を行う際に、ホルダ３とレーザ光源２との不必要な接触を防ぐことができる。また、平板部３ｄを設けることにより、実際にビーム整形素子４が固定された固定部３ｃから爪部３ｅが直角に伸びる位置までのホルダ３の強度を強くすることができる。
【００７０】
本体部３ａの平板部３ｄの両端に爪部３ｅが設けられる。爪部３ｅは、本体部３ａの盛り上がり部分と反対側に、本体部３ａの面に略直角な方向に伸びる。爪部３ｅは図４（ｂ）のホルダ３の本体部３ａの紙面上側の端部と下側の端部との間に収まるように設けられる。実際の光ピックアップ装置１において、ホルダ３は貫通孔３ｂの貫通方向が光ディスク１９にほぼ平行になるように配置され、この紙面上側の端部と下側の端部とは、ホルダ３の中で、光ディスク１９に最も近接した位置と最も遠隔した位置となる。爪部３ｅは、本体部３ａが光ディスク１９に最も近接した位置よりも低い位置に設けられ、且つ本体部３ａが光ディスク１９から最も遠隔した位置よりも高い位置に設けられることになる。したがって、爪部３ｅがこの範囲内に設けられていれば、爪部３ｅが光ピックアップ装置１の厚さに影響を与えることはなく、薄型の光ピックアップ装置を得ることができる。
【００７１】
爪部３ｅはレーザ光源２のキャン２ｃとの間に十分な隙間があくように形成される。そのため、レーザ光源２との位置調整や角度調整を行ってもキャン２ｃと接触することはない。
【００７２】
本実施の形態１において、爪部３ｅをホルダ３の両端に各１箇所ずつ設けたが、それに限るものではなく、両端に複数箇所ずつ設けても良い。ホルダ３とレーザ光源２との接着強度を上げることができ、安定してホルダ３とキャン２ｃとを固定することができるので、信頼性をより高めることができる。また、爪部３ｅはホルダ３の本体部３ａの片側の端部に１箇所のみ設けても構わないが、接着強度の観点から両端に設ける方が望ましい。
【００７３】
図５は本実施の形態１のビーム整形素子の構成図である。ビーム整形素子４は短波長のレーザ光が通過しても劣化が少ない光学ガラスで形成されることが望ましい。劣化が少なければ光学プラスチック等で形成しても構わない。ビーム整形素子４はレーザ光源２から出射されたレーザ光が入射する面に凸型の円柱レンズである円柱部４ａが設けられ、出射する面に凹型の円筒レンズである円筒部４ｂが設けられている。また、円柱部４ａの両側に平坦部４ｃが設けられている。円柱部４ａの円柱レンズの軸方向と円筒部４ｂの円筒レンズの軸方向とは一致している。その軸方向はレーザ光源２の発光素子２ａの厚さ方向に直交する方向である。また、その方向はホルダ３の貫通孔３ｂの長軸方向とほぼ一致するように組み立てられる。また、ビーム整形素子４の平坦部４ｃとホルダ３の固定部３ｃの表面形状とが一致するように作られている。
【００７４】
ビーム整形素子４は、レーザ光の非点収差及びレーザ光源２から光ディスク１９に至る光路中で発生する非点収差を打ち消す。ビーム整形素子４は、レーザ光源２とプリズム５との間に配置されることにより、光ディスク１９からの反射光を通過させないため、不必要な影響を受光器８に入射するレーザ光に与えることがない。なお、本実施の形態１において、ビーム整形素子４はレンズとしたが、プリズムやホログラムを代わりに用いても構わない。
【００７５】
また、ビーム整形素子４は、発散光であるレーザ光源２の発光素子２ａから出射されたレーザ光の光線の向きを円柱部４ａの円柱レンズで一旦内側に向けてから円筒部４ｂの円筒レンズで再度外側に向ける。その結果、円柱部４ａ、円筒部４ｂの軸方向と直角方向のレーザ光の光束の幅をビーム整形素子４がない場合の幅Ｗ２から幅Ｗ１へと狭める働きをする。したがって、より幅広いレーザ光の光束を取り込んで利用することができる。特に、本実施の形態１の場合、発光素子２ａの厚さ方向の光束の幅が狭められるような配置となる。発光素子２ａの厚さ方向の光束の方がより幅広く広がるので、光束の幅を狭める効果がより多く得られる。
【００７６】
図６は本実施の形態１のプリズムの斜視構成図である。プリズム５は短波長のレーザ光が通過しても劣化が少ない光学ガラスで形成された複数のブロック５ａ、５ｂ、５ｃで構成される。ブロック５ａとブロック５ｂとの境界は斜面５ｄ、ブロック５ｂとブロック５ｃとの境界は斜面５ｅである。斜面５ｄ、５ｅは４５°の傾斜を有する。斜面５ｄには反射膜５ｆが形成される。斜面５ｅには偏光分離膜５ｇが形成される。
【００７７】
ブロック５ｂの紙面下方の面に入射したレーザ光は、偏光分離膜５ｇで反射され、反射膜５ｆで反射され、ブロック５ｂの紙面上方の面から光ディスク１９に向けて出射される。一方、光ディスク１９で反射されたレーザ光は、ブロック５ｂの紙面上方の面から入射し、反射膜５ｆで反射され、偏光分離膜５ｇを透過してブロック５ｃの紙面右方の面から受光器８に向けて出射される。このようにして、光ディスク１９で反射したレーザ光がレーザ光源２に戻らずに受光器８に向かうように分離される。
【００７８】
図７（ａ）は本実施の形態１の検出レンズの働きと受光器を示す図、図７（ｂ）は光ディスクが近い場合のスポットの状態を示す図、図７（ｃ）は光ディスクが遠い場合のスポットの状態を示す図である。検出レンズ７は、光軸２１を含んで直交する２つの断面２２、２３で焦点距離を異ならせる素子であり、非点収差を生成する素子である。検出レンズ７には、いわゆる円柱レンズ、円筒レンズやその組み合わせ、及び円筒反射鏡、円柱反射鏡やその組み合わせ等がある。図７（ａ）において、検出レンズ７は、簡単のため円筒レンズとした。
【００７９】
光ディスク１９で反射されたレーザ光はレーザ光源２に集光するように戻ってくる。したがって、検出レンズ７に入射するレーザ光は集光しようとする光である。光軸２１を含む上下方向の断面２２においてレーザ光は、検出レンズ７をそのまま透過し、焦点２４に集光する。一方、光軸２１を含む左右方向の断面２３においてレーザ光は、検出レンズ７が凹レンズの働きをするため、焦点２４よりも奥側の焦点２５に集光しようとする。受光器８は焦点２４と焦点２５との中間に配置される。すなわち、断面２２の方向のレーザ光は、焦点２４で集光してから少し広がった状態で受光器８に入射する。断面２３の方向のレーザ光は焦点２５で集光する前に少し広がった状態で受光器８に入射する。そのため、受光器８上のスポット２６は、少し広がった状態のほぼ円形状となる。
【００８０】
図７（ａ）において、受光器８は、光ディスク１９で反射されたレーザ光を受光するＡ〜Ｄの光検出部８ａを田の字を４５°寝かせたように配置する。ＡとＣの光検出部８ａを左右方向に配置し、ＢとＤの光検出部８ａを上下方向に配置した。Ａ〜Ｄの光検出部８ａは受光した光量を電気信号に変換する。Ａの光検出部８ａで変換された電気信号をＡ、Ｂの光検出部８ａで変換された電気信号をＢ、Ｃの光検出部８ａで変換された電気信号をＣ、Ｄの光検出部８ａで変換された電気信号をＤとする。フォーカス制御用の信号であるフォーカスエラー信号ＦＥＳは、ＦＥＳ＝（Ａ＋Ｃ）−（Ｂ＋Ｄ）を演算させることにより得ることができる。
【００８１】
図７（ｂ）に示すように、光ディスク１９が光ピックアップ装置１に近い場合、焦点２４は受光器８に近づき、焦点２５は受光器８から遠ざかる。そのため、スポット２６の上下の寸法が短くなって左右の寸法が長くなる。したがって、フォーカスエラー信号ＦＥＳ＞０となる。逆に図７（ｃ）に示すように、光ディスク１９が光ピックアップ装置１から遠い場合、焦点２４は受光器８から遠ざかり、焦点２５は受光器８に近づく。そのため、スポット２６の上下の寸法が長くなり、左右の寸法が短くなる。したがって、フォーカスエラー信号ＦＥＳ＜０となる。このようにフォーカスエラー信号ＦＥＳは光ディスク１９のフォーカス方向の位置ずれを示すフォーカス制御用の信号である。
【００８２】
ホログラム１３は、所定の領域毎に格子方向が異なる複数の回折格子の集合体である。各領域の回折格子に入射した光は、回折されてその回折格子の格子方向に応じた方向に向けて出射される。また、ホログラム１３は、レーザ光源２から出射されたレーザ光をそのまま透過し、光ディスク１９で反射されたレーザ光に対してのみ回折するように構成されている。これは、レーザ光源２から出射されたレーザ光と光ディスク１９で反射されたレーザ光の偏光状態が異なるためであり、１／４波長板１７がそのような状態を作り出す。このようにして、ホログラム１３は、光ディスク１９で反射されたレーザ光を主にトラッキング制御用の信号であるトラッキングエラー信号ＴＥＳを生成するように所定の光束に分離する。
【００８３】
反射ミラー１４は光路を折り曲げて光ピックアップ装置１を小型にするためのものである。反射ミラー１４の表面には金属膜や誘電体多層膜の反射膜が形成される。
【００８４】
コリメートレンズ１５は、短波長のレーザ光が通過しても劣化が少ない光学ガラスまたは光学プラスチック等で形成される。コリメートレンズ１５は、発散光であるレーザ光源２から出射されたレーザ光を平行光に変換する。また、平行光に変換された光ディスク１９で反射されたレーザ光を集束光に変換する。
【００８５】
立ち上げミラー１６は、それまで光ディスク１９の面にほぼ平行であったレーザ光の方向を光ディスク１９に対してほぼ直角に立ち上げるための反射鏡である。立ち上げミラー１６は、立ち上げプリズムとしても良い。
【００８６】
１／４波長板１７は、レーザ光源から出射されたＳ偏光のレーザ光を円偏光に変換して光ディスク１９に入射させる。さらに、光ディスク１９で反射されたレーザ光を円偏光からＰ偏光に変換して、ホログラム１３に入射させる。
【００８７】
対物レンズ１８は、短波長のレーザ光が通過しても劣化が少ない光学ガラスまたは光学プラスチック等で形成される。対物レンズ１８は、コリメートレンズ１５で平行光にされたレーザ光を光ディスク１９に集光するように変換する。また、光ディスク１９で反射された発散光であるレーザ光を平行光に変換する。
【００８８】
図８（ａ）は本実施の形態１の結合ベースの斜視構成図、図８（ｂ）は裏側からの斜視構成図である。結合ベース６は、比較的、軽量，高精度での形状加工性，放熱性等を兼ね備えた材料で形成させることが好ましく、例えば、Ｚｎ，Ｚｎ合金，Ａｌ，Ａｌ合金，Ｔｉ，Ｔｉ合金などが好適に用いられる。本実施の形態では、コスト面などを考慮し、Ｚｎダイキャストで結合ベース６を構成した。
【００８９】
結合ベース６は両側の基部６ａの間をアーチ状に本体部６ｂが結んでレーザ光源２を覆うような構成になっている。本体部６ｂの頂点部分には貫通孔６ｃが設けられている。貫通孔６ｃをレーザ光源２から出射されたレーザ光が通過する。本体部６ａの外側壁の貫通孔６ｃの周囲には３つの凸部６ｄが設けられている。凸部６ｄには、プリズム５が固定される。本体部６ｂの内側壁は凹部６ｅが設けられており、凹部６ｅにはレーザ光源２に取り付けられたビーム整形素子４が収められる。本体部６ａの端部からは壁部６ｆが外側に向けて突き出している。壁部６ｆの１つの面６ｇにはレンズホルダ９が固定される。レンズホルダ９には検出レンズ７と受光器８が固定されている。また、本体部６ｂの内側面には凹部６ｊが設けられており、ホルダ３の爪部３ｅがここに収まる。
【００９０】
基部６ａの両端には結合ベース６の位置、角度調整時に用いられる凹部６ｈが設けられている。基部６ａの下方には、球面状の調整部６ｉが設けられている。レーザモジュール１１が基台１２に固定される際に、調整部６ｉの球面部分に沿って角度調整が行われる。レーザ光源２のキャン２ｃと本体部６ｂの壁部６ｋとの間で接着剤により、仮固定が行われる。そして、レーザ光源２の固定ベース２ｂと基部６ａの壁部６ｌとの間で溶着により、本固定が行われる。
【００９１】
図９は本実施の形態１のレーザモジュールの組み立てを示す図である。まず、ビーム整形素子４をホルダ３の固定部３ｃに固定する。その際、特にθｘ、θｙ方向の角度の調整を行う。固定には、紫外線硬化型接着剤等を用いる。この接着剤はビーム整形素子４に無用な応力がかからないような軟らかな接着剤とすることが望ましい。次に、ビーム整形素子４を固定したホルダ３をレーザ光源２に接着剤１０で固定する。その際、Ｘ、Ｙ、Ｚの３軸の位置と、θｘ、θｙ、θｚの３軸の角度の合計６軸の調整を行う。ホルダ３とレーザ光源２とは６軸の調整を行っても非接触であるように隙間をあける。逆に、ホルダ３とレーザ光源２とが非接触であるように隙間を空けるので６軸の調整を行うことができるともいえる。ホルダ３の爪部３ｅとレーザ光源２のキャン２ｃとの間に接着剤１０を塗布し、紫外線照射をして接着剤１０を硬化させて固定する。接着剤１０は紫外線硬化型としたが、それに限るものではない。熱硬化型接着剤等でも構わない。本体部３ａとキャン２ｃとの間に接着剤１０が介在しないので、接着剤１０が硬化する際の体積変化によるビーム整形素子４のひずみが極小である。
【００９２】
次に、ビーム整形素子４を固定したレーザ光源２を結合ベース６に固定する。レーザ光源２は、結合ベース６の本体部６ｂのアーチ状の内側に配置されるようにする。結合ベース６とレーザ光源２との、特にθｘ、θｙ、Ｚ方向の調整を行う。調整終了後、レーザ光源２のキャン２ｃと結合ベース６の壁部６ｋとの間に紫外線硬化型接着剤を塗布し、紫外線を照射して接着剤を硬化させて仮固定する。接着剤は紫外線硬化型に限るものではない。熱硬化型接着剤や嫌気性接着剤等でも構わない。次にレーザ光源２の固定ベース２ｂと結合ベース６の壁部６ｌとの隙間にクリーム半田等を塗布し、レーザ光を照射してクリーム半田等を溶融・硬化してレーザ光源２と結合ベース６とを本固定する。ここで、結合ベース６とレーザ光源２とにそれぞれ熱が加わる。しかし、ホルダ３はレーザ光源２に対しては非接触であり、接着剤１０で熱が遮断されるため、ホルダ３にまでは熱が伝わりにくく、ビーム整形素子４をホルダ３に固定する接着剤の温度は上がりにくい。
【００９３】
次に、プリズム５を結合ベース６に固定する。その際、プリズム５を凸部６ｄに押し当てるとともに、特にＸ、Ｙ、θｚ方向の調整を行う。固定には紫外線硬化型接着剤を用いるが、接着剤は紫外線硬化型に限るものではない。
【００９４】
最後に、検出レンズ７と受光器８とを固定したレンズホルダ９を結合ベース６の面６ｇに固定する。その際、Ｘ、Ｙ、Ｚ、θｘ、θｙ、θｚの６軸の調整を行う。固定には紫外線硬化型接着剤を用いるが、接着剤は紫外線硬化型に限るものではない。検出レンズ７と受光器８とを固定したレンズホルダ９は、あらかじめ作製しておく。まず、受光器８とレンズホルダ９とを紫外線硬化型接着剤で固定するが、接着剤は紫外線硬化型に限るものではない。次に、検出レンズ７と受光器８との特にＹ、Ｚ方向の位置調整を行い、紫外線硬化型接着剤で固定するが、接着剤は紫外線硬化型に限るものではない。
【００９５】
図１０は本実施の形態１の光ピックアップ装置の外観図である。光ピックアップ装置１はカバー類を外した状態である。ホログラム１３、コリメートレンズ１５、立ち上げミラー１６、１／４波長板１７は他の部材の陰になって見えていない。レーザモジュール１１は基台１２に固定されている。また、対物レンズ１８が露出している。反射ミラー１４が基台１２の貫通孔から一部が見えており、光路を折り曲げるような位置に配置されている。
【００９６】
次に、光路について説明する。図２において、レーザ光はレーザ光源２から出射される。その際、偏光状態はＳ偏光である。レーザ光源２から出射されたレーザ光はすぐにビーム整形素子４に入射する。ビーム整形素子４において、レーザ光は所定の断面形状に変換される。ビーム整形素子４から出たレーザ光はプリズム５に入射する。レーザ光はプリズム５の斜面５ｅに形成された偏光分離膜５ｇで反射され、斜面５ｄの反射膜５ｆで反射されて、プリズム５から出射されてホログラム１３に入射する。レーザ光は、ホログラム１３ではＳ偏光であるためそのまま透過され、反射ミラー１４で反射され、コリメートレンズ１５に入射する。レーザ光はコリメートレンズ１５で平行光に変換され、立ち上げミラー１６で光ディスク１９に対してほぼ直角に向きを変えられて、１／４波長板１７に入射する。レーザ光は１／４波長板１７でＳ偏光から円偏光に変換され、対物レンズ１８で集束光に変換されて、光ディスク１９に集束して入射する。
【００９７】
光ディスク１９で反射されたレーザ光は対物レンズ１８で平行光に変換されて、１／４波長板１７に入射する。レーザ光は１／４波長板１７で円偏光からＰ偏光に変換され、立ち上げミラー１６で光ディスク１９の面に対してほぼ平行な方向に折り曲げられてコリメートレンズ１５に入射する。レーザ光はコリメートレンズ１５で集束光に変換され、反射ミラー１４で反射されて光路を折り曲げられてホログラム１３に入射する。レーザ光はＰ偏光であるためホログラム１３でトラッキング制御に用いられる光束を分離されてプリズム５に入射する。レーザ光は反射膜５ｆで反射され、偏光分離膜５ｇを今度は透過して、検出レンズ７に入射する。レーザ光は検出レンズ７にてフォーカス制御に用いられるように、光軸２１を含んで直交する２つの断面２２、２３で焦点距離が異なるように変換されて受光器８に入射する。受光器８の光検出部８ａにてレーザ光はフォーカス制御用の電気信号、トラッキング制御用の電気信号、光ディスク１９に記録された情報の再生信号用の電気信号等に変換される。
【００９８】
ここで、ホルダ３は耐熱性の接着剤１０のみを介してキャン２ｃに固定される。結合ベース６と固定ベース２ｂとの溶着の際に発生する熱は接着剤１０によって遮断される。そのため、ビーム整形素子４をホルダ３に固定する接着剤の温度が上がりにくい。よって、溶着後においても、ビーム整形素子４とホルダ３との間の位置、角度は組み立て完了時の位置、角度からほとんどずれない。また、ホルダ３をキャン２ｃに固定する接着剤１０は耐熱性があるため、溶着によってキャン２ｃの温度が上がってもホルダ３とキャン２ｃとの間の位置、角度は組み立て完了時の位置、角度からほとんどずれない。したがって、溶着によって、ビーム整形素子４とレーザ光源２との間の位置、角度は組み立て完了時の位置、角度からほとんどずれない。そのため、光ピックアップ装置１は、光ディスク１９に対する記録や再生の特性が良い。
【００９９】
また、本体部３ａとキャン２ｃとの間に接着剤１０が介在しないので、接着剤１０が硬化する際の体積変化によるビーム整形素子４のひずみが極小である。また、ホルダ３とキャン２ｃとが非接触であるためビーム整形素子４を搭載したホルダ３とレーザ光源２との３軸の位置と３軸の角度の調整を行うことができる。また、ビーム整形素子４をレーザ光源２の近傍に配置できるので、ビーム整形素子４の大きさを小さくすることができる。
【０１００】
なお、図２において反射ミラー１４をビームスプリッタに変更して、ＤＶＤ／ＣＤの光学系を組み込んでも良い。ビームスプリッタの紙面左側に紙面下側に相当する光学系を配置し、コリメートレンズ１５と立ち上げミラー１６との間に、ＤＶＤ／ＣＤ用の立ち上げミラー〜対物レンズを配置することで実現できる。ここでビームスプリッタはＢｌｕ−ｒａｙ  Ｄｉｓｃ用のレーザ光を反射し、ＤＶＤ／ＣＤ用のレーザ光を透過する。また、ＤＶＤ／ＣＤ用の立ち上げミラーはＢｌｕ−ｒａｙ  Ｄｉｓｃ用のレーザ光を透過する。
【０１０１】
また、本実施の形態１において、光学素子はビーム整形素子４としたが、それに限るものではない。例えば、図２の構成において、光学素子をトラッキング制御に用いられる光束を分離する回折格子を備えた回折素子としても良い。回折格子は入射したレーザ光を回折して０次光及び±１次光に分離する。その際、レーザ光源２はＢｌｕ−ｒａｙ  Ｄｉｓｃ用の波長約４０５ｎｍのレーザ光ではなく、ＣＤ用の波長約７８０ｎｍのレーザ光を出射するようにする。さらに、ホログラム１３をＣＤ用のトラッキング制御用のレーザ光を分離する用途としては廃止する。また、受光器８には、上記変更に伴う光検出部８ａの配置の変更を行う。このようにすることで、ＣＤ用の光学系を構成することができる。
【０１０２】
（実施の形態２）
本実施の形態２について図面を参照しながら説明する。図１１は本実施の形態２の光ピックアップモジュールの構成図、図１２は本実施の形態２の光ディスク装置の構成図である。実施の形態２は実施の形態１で説明した光ピックアップ装置１を搭載した光ディスク装置である。
【０１０３】
光ディスク装置４０の光ディスク１９及び光ピックアップ装置１を駆動する駆動機構を光ピックアップモジュール３０という。ベース３１は光ピックアップモジュール３０の骨組みを成すもので、このベース３１に直接的、間接的に各構成部品を固定する。
【０１０４】
光ディスク１９を載置するターンテーブルを備えたスピンドルモータ３２はベース３１に固定される。スピンドルモータ３２は光ディスク１９を回転させる回転駆動力を生成する。
【０１０５】
フィードモータ３３はベース３１に固定される。フィードモータ３３は光ピックアップ装置１が光ディスク１９の内周と外周の間を移動するために必要な回転駆動力を生成する。フィードモータ３３としてステッピングモータ、ＤＣモータなどが使用される。スクリューシャフト３４はらせん状に溝が掘られており、直接または数段のギアを介してフィードモータ３３に接続される。本実施の形態２では数段のギアを介してフィードモータ３３と接続される。ガイドシャフト３５、３６はそれぞれ両端で支持部材を介してベース３１に固定される。ガイドシャフト３５、３６は光ピックアップ装置１を移動自在に支持する。光ピックアップ装置１にはスクリューシャフト３４の溝と噛み合うガイド歯を有するラック３７が取り付けられている。ラック３７がスクリューシャフト３４に伝達されたフィードモータ３３の回転駆動力を直線駆動力に変換するために光ピックアップ装置１は光ディスク１９の内周と外周の間を移動することができる。
【０１０６】
光ピックアップ装置１は実施の形態１で説明したもので、さらにカバー２７を取り付けたものである。光ピックアップ装置１は光ディスク１９に対し情報の記録または再生の少なくとも一方を行い、そのためにレーザ光を光ディスク１９に向けて出射する。すなわち光ピックアップ装置１は、レーザ光源２とレーザ光源２から出射されたレーザ光に対して所定の作用を及ぼす光学素子としてのビーム整形素子４とホルダ３と結合ベース６とを備えている。
【０１０７】
レーザ光源２は固定ベース２ｂに配置された発光素子２ａをキャン２ｃにより覆い、光ディスク１９に向けてレーザ光を出射する。ビーム整形素子４は、レーザ光源２から出射されるレーザ光の光軸に直角な方向の断面形状を所定形状に補正する。ホルダ３はキャン２ｃの上方に配置され、光学素子であるビーム整形素子４をレーザ光に対して所定位置に保持し、キャン２ｃの側面に伸びる爪部３ｅを有する。結合ベース６は光学素子であるビーム整形素子４を保持したホルダ３が配置されたレーザ光源２を覆い、レーザ光源２の固定ベース２ｂと溶着される。
【０１０８】
光ピックアップ装置１においてホルダ３は耐熱性の接着剤１０のみを介してキャン２ｃに固定される。結合ベース６と固定ベース２ｂとの溶着の際に発生する熱は接着剤１０によって遮断される。そのため、ビーム整形素子４をホルダ３に固定する接着剤の温度が上がりにくい。よって、溶着後においても、ビーム整形素子４とホルダ３との間の位置、角度は組み立て完了時の位置、角度からほとんどずれない。また、ホルダ３をキャン２ｃに固定する接着剤１０は耐熱性があるため、溶着によってキャン２ｃの温度が上がってもホルダ３とキャン２ｃとの間の位置、角度は組み立て完了時の位置、角度からほとんどずれない。したがって、溶着によって、ビーム整形素子４とレーザ光源２との間の位置、角度は組み立て完了時の位置、角度からほとんどずれない。そのため、光ピックアップ装置１は、光ディスク１９に対する記録や再生の特性が良い。
【０１０９】
また、固定部３ｃとキャン２ｃとの間に接着剤１０が介在しないので、接着剤１０が硬化する際の体積変化によるビーム整形素子４のひずみが極小である。また、ホルダ３とキャン２ｃとが非接触であるためビーム整形素子４を搭載したホルダ３とレーザ光源２との３軸の位置と３軸の角度の調整を行うことができる。また、ビーム整形素子４をレーザ光源２の近傍に配置できるので、ビーム整形素子４の大きさを小さくすることができる。
【０１１０】
光ピックアップ装置１から出射されるレーザ光が光ディスク１９に対し直角に入射するように、支持部材を構成する調整機構でガイドシャフト３５、３６の傾きを調整する。
【０１１１】
上部筐体４１ａと下部筐体４１ｂを組み合わせてネジなどを用いて互いに固定して筐体４１とする。トレイ４２は筐体４１に出没自在に設けられる。トレイ４２はカバー３８を取り付けた光ピックアップモジュール３０を下面側から配置する。カバー３８は開口を有し、光ピックアップ装置１の対物レンズ１８を含む一部とスピンドルモータ３２のターンテーブルを露出させる。本実施の形態２の場合、フィードモータ３３も露出させる。ベゼル４３をトレイ４２の前端面に設け、トレイ４２が筐体４１内に収納された時に、トレイ４２の出没口を塞ぐようにする。
【０１１２】
ベゼル４３にはイジェクトスイッチ４４が設けられ、イジェクトスイッチ４４を押すことで、筐体４１とトレイ４２との係合が解除され、トレイ４２は筐体４１に対し出没が可能な状態となる。レール４５はそれぞれトレイ４２の両側部及び筐体４１の双方に摺動自在に取り付けられる。
【０１１３】
筐体４１の内部やトレイ４２の内部には図示していない回路基板があり、信号処理系のＩＣや電源回路などが搭載されている。外部コネクタ４６はコンピュータ等の電子機器に設けられた電源／信号ラインと接続される。そして、外部コネクタ４６を介して光ディスク装置４０内に電力を供給したり、外部からの電気信号を光ディスク装置４０内に導いたり、あるいは光ディスク装置４０で生成された電気信号を外部の電子機器などに送出したりする。
【０１１４】
以上のように、本実施の形態２の光ディスク装置４０は、実施の形態１の光ピックアップ装置を搭載している。実施の形態１の光ピックアップ装置１は、ホルダ３が耐熱性の接着剤１０のみを介してキャン２ｃに固定される。結合ベース６と固定ベース２ｂとの溶着の際に発生する熱は接着剤１０によって遮断される。そのため、ビーム整形素子４をホルダ３に固定する接着剤の温度が上がりにくい。よって、溶着後においても、ビーム整形素子４とホルダ３との間の位置、角度は組み立て完了時の位置、角度からほとんどずれない。また、ホルダ３をキャン２ｃに固定する接着剤１０は耐熱性があるため、溶着によってキャン２ｃの温度が上がってもホルダ３とキャン２ｃとの間の位置、角度は組み立て完了時の位置、角度からほとんどずれない。したがって、溶着によって、ビーム整形素子４とレーザ光源２との間の位置、角度は組み立て完了時の位置、角度からほとんどずれない。そのため、光ピックアップ装置１は、光ディスク１９に対する記録や再生の特性が良い。したがって、本実施の形態２の光デイスク装置４０は、光ディスク１９に対する記録や再生の特性が良い。
【産業上の利用可能性】
【０１１５】
以上のように本発明の光ピックアップ装置及び光ディスク装置は光ディスクに対する記録や再生の特性が良い。そのため、パーソナルコンピュータ、ノートブック型コンピュータ等の電子機器に搭載される光ピックアップ装置及び光ディスク装置として有用である。
【図面の簡単な説明】
【０１１６】
【図１】（ａ）本実施の形態１の光ピックアップ装置のレーザモジュール部分の構成図、（ｂ）本実施の形態１のレーザモジュールの断面図
【図２】本実施の形態１の光ピックアップ装置の光学系を示す図
【図３】（ａ）本実施の形態１のレーザ光源の斜視構成図、（ｂ）本実施の形態１のレーザ光源の断面図
【図４】（ａ）本実施の形態１のホルダの斜視構成図、（ｂ）本実施の形態１のホルダの上面図、（ｃ）本実施の形態１のホルダの正面図
【図５】本実施の形態１のビーム整形素子の構成図
【図６】本実施の形態１のプリズムの斜視構成図
【図７】（ａ）本実施の形態１の検出レンズの働きと受光器を示す図、（ｂ）光ディスクが近い場合のスポットの状態を示す図、（ｃ）光ディスクが遠い場合のスポットの状態を示す図
【図８】（ａ）本実施の形態１の結合ベースの斜視構成図、（ｂ）裏側からの斜視構成図
【図９】本実施の形態１のレーザモジュールの組み立てを示す図
【図１０】本実施の形態１の光ピックアップ装置の外観図
【図１１】本実施の形態２の光ピックアップモジュールの構成図
【図１２】本実施の形態２の光ディスク装置の構成図
【図１３】従来の光ピックアップ装置の光学系の一部を示す図
【図１４】図１３の光ピックアップ装置の構成の一部を示す図
【符号の説明】
【０１１７】
１    光ピックアップ装置
２    レーザ光源
２ａ    発光素子
２ｂ    固定ベース
２ｃ    キャン
２ｄ    窓部
２ｅ    ブロック
２ｆ    サブマウント
２ｇ    凹部
２ｈ    リード
２ｉ    カバーガラス
３    ホルダ
３ａ    本体部
３ｂ    貫通孔
３ｃ    固定部
３ｄ    平板部
３ｅ    爪部
４    ビーム整形素子
４ａ    円柱部
４ｂ    円筒部
４ｃ    平坦部
５    プリズム
５ａ、５ｂ、５ｃ    ブロック
５ｄ、５ｅ    斜面
５ｆ    反射膜
５ｇ    偏光分離膜
６    結合ベース
６ａ    基部
６ｂ    本体部
６ｃ    貫通孔
６ｄ    凸部
６ｅ    凹部
６ｆ、６ｋ、６ｌ    壁部
６ｇ    面
６ｈ、６ｊ    凹部
６ｉ    調整部
７    検出レンズ
８    受光器
８ａ    光検出部
９    レンズホルダ
１０    接着剤
１１    レーザモジュール
１２    基台
１３    ホログラム
１４    反射ミラー
１５    コリメートレンズ
１６    立ち上げミラー
１７    １／４波長板
１８    対物レンズ
１９    光ディスク
２１    光軸
２２、２３    断面
２４、２５    焦点
２６    スポット
２７    カバー
３０    光ピックアップモジュール
３１    ベース
３２    スピンドルモータ
３３    フィードモータ
３４    スクリューシャフト
３５、３６    ガイドシャフト
３７    ラック
３８    カバー
４０    光ディスク装置
４１    筐体
４１ａ    上部筐体
４１ｂ    下部筐体
４２    トレイ
４３    ベゼル
４４    イジェクトスイッチ
４５    レール
４６    外部コネクタ
【図１】
2008071378.tif 000003
【図２】
2008071378.tif 000004
【図３】
2008071378.tif 000005
【図４】
2008071378.tif 000006
【図５】
2008071378.tif 000007
【図６】
2008071378.tif 000008
【図７】
2008071378.tif 000009
【図８】
2008071378.tif 000010
【図９】
2008071378.tif 000011
【図１０】
2008071378.tif 000012
【図１１】
2008071378.tif 000013
【図１２】
2008071378.tif 000014
【図１３】
2008071378.tif 000015
【図１４】
2008071378.tif 000016